(57)【要約】【課題】メンテナンス作業及び部品管理を軽減できるとともに、構成の簡素化が可能な調光操作器及び調光システムを提供することを目的とする。【解決手段】本発明は、複数種の調光操作モードに設定可能な操作器本体１０と、前記調光操作モードを選択可能な調光操作モード選択手段１３と、面操作式の入力センサから構成され、操作情報が入力される入力手段１２と、入力手段１２から入力された操作情報を選択されている所定の調光操作モードに応じた調光制御信号として送出する調光制御信号出力手段１８とを具備する調光操作器である。【選択図】図２
2009110912.tif 000002
【特許請求の範囲】
【請求項１】
複数種の調光操作モードに設定可能な操作器本体と；前記調光操作モードを選択可能な調光操作モード選択手段と；面操作式の入力センサから構成され、操作情報が入力される入力手段と；入力手段から入力された操作情報を選択されている所定の調光操作モードに応じた調光制御信号として送出する調光制御信号出力手段と；を具備することを特徴とする調光操作器。
【請求項２】
前記入力手段と並設するように調光レベル表示部を有し、この調光レベル表示部は各調光操作モードに応じて表示方法が可変することを特徴とする請求項１に記載の調光操作器。
【請求項３】
前記入力手段はタッチ領域を有し、そのタッチ領域は直線状に複数列設けられていることを特徴とする請求項１又は請求項２に記載の調光操作器。
【請求項４】
前記入力手段のタッチ領域には、タッチ領域を摺動可能な操作パッドが設けられていることを特徴とする請求項３に記載の調光操作器。
【請求項５】
前記入力手段のタッチ領域は、非平面状に構成されていることを特徴とする請求項３に記載の調光操作器。
【請求項６】
請求項１乃至請求項５のいずれか一に記載の調光操作器と；調光制御可能な照明負荷と；調光操作器から調光制御信号を受けて対応する照明負荷の調光を行う調光器と；を具備することを特徴とする調光システム。
【発明の詳細な説明】
【技術分野】
【０００１】
本発明は、面操作式の入力センサから構成された入力手段を備えた調光操作器及びそれを用いた調光システムに関する。
【背景技術】
【０００２】
従来、スタジオや劇場等の演出空間の照明に対し、調光制御を行う場合、調光卓の操作面に設けられたフェーダ、エンコーダ、スイッチ等の操作子を用いて操作を行っている。これら操作子は、レバーやアーム式、また、ベルト式であったりして、操作面から摘み等が突出し、さらに、その構成は、機構部品からなっている（例えば、特許文献１、特許文献２参照）。    
【特許文献１】特開２００５−２６８１０８号公報
【特許文献２】特開２００４−１２７７２２号公報（図３、図１０等）
【発明の開示】
【発明が解決しようとする課題】
【０００３】
しかしながら、特許文献１及び特許文献２に示すようなものにあっては、機構部品から構成されているため、可動部品の交換や定期的なメンテナンス作業が必要となり、また、部品点数が多くなることから部品管理も煩雑になる問題点があった。さらに、フェーダ、エンコーダ、スイッチ等は、その調光制御の機能が異なるため、構成も異なり、それぞれに応じた個別の操作子を設ける必要があり、構成の簡素化が困難であるという問題点も抱えていた。  
【０００４】
そこで、本発明は、上記問題点を解消すべくなされたもので、メンテナンス作業及び部品管理を軽減できるとともに、構成の簡素化が可能な調光操作器及び調光システムを提供することを目的とする。
【課題を解決するための手段】
【０００５】
請求項１に記載の調光操作器は、複数種の調光操作モードに設定可能な操作器本体と；前記調光操作モードを選択可能な調光操作モード選択手段と；面操作式の入力センサから構成され、操作情報が入力される入力手段と；入力手段から入力された操作情報を選択されている所定の調光操作モードに応じた調光制御信号として送出する調光制御信号出力手段と；を具備することを特徴とする。面操作式の入力センサは、静電容量式のスイッチが適するが、抵抗式、光式等のセンサを用いてもよい。また、面操作式の入力センサには、指等を操作面に触れてタッチ操作が必要なセンサばかりでなく、指等をセンサに近接することによって静電容量等を変化させるものを含む。  
【０００６】
請求項２に記載の調光操作器は、入力手段と並設するように調光レベル表示部を有し、この調光レベル表示部は各調光操作モードに応じて表示方法が可変することを特徴とする。  
【０００７】
請求項３に記載の調光操作器は、請求項１又は請求項２に記載の調光操作器において、入力手段はタッチ領域を有し、そのタッチ領域は直線状に複数列設けられていることを特徴とする。  
【０００８】
請求項４に記載の調光操作器は、請求項３に記載の調光操作器において、入力手段のタッチ領域には、タッチ領域を摺動可能な操作パッドが設けられていることを特徴とする。  
【０００９】
請求項５に記載の調光操作器は、請求項３に記載の調光操作器において、入力手段のタッチ領域は、非平面状に構成されていることを特徴とする。非平面状とは、例えば、凸部、凹部、溝、階段状、波状等を含み、指で触れた場合に節度感をもたらす態様をいう。  
【００１０】
請求項６に記載の調光システムは、請求項１乃至請求項５のいずれか一に記載の調光操作器と；調光制御可能な照明負荷と；調光操作器から調光制御信号を受けて対応する照明負荷の調光を行う調光器と；を具備することを特徴とする。
【発明の効果】
【００１１】
本発明によれば、メンテナンス作業及び部品管理を軽減できるとともに、構成の簡素化が可能な調光操作器及び調光システムを提供することができる。
【発明を実施するための最良の形態】
【００１２】
以下、本発明の調光操作器及び調光システムの第１の実施形態について図１乃至図３を参照して説明する。図1は、調光システムを示すブロック構成図、図２は、調光操作器の操作面を示す正面図、図３は、調光操作器を示すブロック構成図である。図１において、調光室に設置された調光操作器１０を示す。調光操作器１０は、本体に複数の入力手段を有し、この入力手段から入力された操作情報を例えば、ＤＭＸ信号として調光機器室に設置された調光盤２０に送出する。ＤＭＸ信号は、米国劇場技術協会（ＵＳＩＴＴ）が規格化した演出分野等に用いられるディジタル信号であり、調光制御用の調光信号の規格として用いられるＤＭＸ５１２を示している。なお、この調光制御信号の伝送は、有線による場合であっても、無線による場合であってもよい。  
【００１３】
調光盤２０には、複数の調光器２０−１〜２０−ｎが設けられており、これら調光器２０−１〜２０−ｎには、調光電源が供給されている。各調光器２０−１〜２０−ｎには、それぞれスポットライト等の照明負荷３０−１〜３０−ｎが接続されている。照明負荷３０−１〜３０−ｎは、スタジオや舞台に設置されて、演出照明を行うものであり、調光器２０−１〜２０−ｎから調光制御信号によって制御された調光電圧が供給される。  
【００１４】
次に、図２において、操作面１１は、パネル状に形成されており、面操作式の入力センサから構成された入力手段１２−１〜１２−４と調光操作モード選択手段１３−１〜１３−３とを備えている。面操作式の入力センサは、静電容量式のスイッチであり、表面を樹脂コーティングした例えば、４列の直線状のタッチ領域１４−１〜１４−４が形成されている。なお、入力手段１２−１〜１２−４は、勿論、４個設けることに限定されるものではない。タッチ領域１４−１〜１４−４の下面には、多数のスイッチが直線状に配設されており、タッチ領域１４−１〜１４−４を介して指等が近接又は接触すると微弱な静電容量の変化として検出する。また、タッチ領域１４−１〜１４−４の傍らにはＬＥＤ等の表示要素から構成された調光レベル表示部１５−１〜１５−４が設けられている。この表示部１５−１〜１５−４は、タッチ領域１４−１〜１４−４を指でなぞる等で入力した入力操作情報のレベルを表示するものである。各入力手段１２−１〜１２−４は、前記調光盤２０の調光器２０−１〜２０−ｎと１対１（又は１対ｎ）の関係で対応付けられている。  
【００１５】
調光操作モード選択手段１３−１〜１３−３は、タッチ式スイッチから構成されており、フェーダ機能、エンコーダ機能、タッチスイッチ機能が選択できるようになっている。概略的に、ここでは、フェーダ機能は、明るさを徐々に変えて調光し、所望の明るさを保持する機能をいい、エンコーダ機能は、既設定の調光レベルを操作の開始点として明るさをアップ／ダウンして微調整の調光をする機能をいい、タッチスイッチ機能は、所定の選択した明るさでオン／オフして、いわゆるフラッシングして調光する機能をいう。調光操作モード選択手段１３−１〜１３−３の近傍には、モードの選択状態を表示するＬＥＤ等から構成された表示部１６−１〜１６−３が設けられている。  
【００１６】
次に、図３において、調光操作器１０は、入力手段１２−１〜１２−４、制御手段１７、調光制御信号出力手段１８及び調光操作モード選択手段１３−１〜１３−３を備えている。入力手段１２−１〜１２−４は、プリント基板上に実装された静電容量式の多数のスイッチ及びこのスイッチの出力を検出して、検出信号を送出する検出回路１９を含んでいる。この入力手段１２−１〜１２−４は、制御手段１７に接続されている。制御手段１７は、中央演算処理装置又はＦＰＧＡ（Field Programmable Gate Array）等から構成され、調光操作器１０全般の信号処理を行う機能を有する。そして、制御手段１７は、調光制御信号出力手段１８に接続されている。調光制御信号出力手段１８は、制御手段１７から信号を受け、ＤＭＸ信号を出力する。また、制御手段１７には、調光操作モード選択手段１３−１〜１３−３が接続されている。調光操作モード選択手段１３−１〜１３−３で所定のモードが選択されると、制御手段１７は、その選択されたモードに応じて、入力手段１２−１〜１２−４から入力された操作情報を演算処理し、その処理結果データを調光制御信号出力手段１８に送る。  
【００１７】
次に、以上のように構成された調光操作器及び調光システムの動作を説明する。まず、フェーダ機能により入力手段１２−１を操作して調光を行う場合を仮定する。フェーダ機能の調光操作モード選択手段１３−１を選択し、すなわち、オペレータがタッチ式スイッチを押圧する。すると、この選択状態を示す表示部１６−１が点灯するとともに、図３に示すように、調光操作モード選択手段１３−１からモード選択信号が制御手段１７に送られる。制御手段１７は、フェーダ機能のモードであることを認識し、入力手段１２−１〜１２−４からの操作情報の待機状態となる。  
【００１８】
ここで、オペレータが指で入力手段１２−１のタッチ領域１４−１を下方から上方へなぞるように接触させてスライドさせると、この指の移動軌跡に応じて静電容量式のスイッチがオン／オフされ、このオン／オフ情報を検出回路１９が検出し、検出信号を制御手段１７へ送る。制御手
段１７は、スイッチのオン/オフ情報から操作位置及び操作方向を判定し、つまり、調光レベル及び明るさを上昇させるのか、下降させるのかを判定演算し、その結果である調光制御データを調光制御信号出力手段１８へ送信する。因みに、タッチ領域１４−１の下端位置が調光レベル０であり、上端位置が１００％として１２８階調の設定がされている。すなわち、フェード機能によって、調光レベル０〜１００％の範囲で１２８階調の調光制御ができるようになっている。また、現時点の調光レベルを分かりやすくするため、指の移動軌跡に追随して調光レベル表示部１５−１のＬＥＤ等の表示要素が点灯するようになっている。  
【００１９】
タッチ領域１４−１を指で下方から上方へなぞるようにスライドさせているので、明るさは徐々に上昇するように動作する。そして、タッチ領域１４−１から指を離すと、その位置を検出回路１９が検出し、その位置に対応した調光レベルを保持するようになっている。また、上記とは逆に、指で入力手段１２−１のタッチ領域１４−１を上方から下方へなぞるように接触させてスライドさせると、同様に制御手段１７は、スイッチのオン/オフ情報から操作位置及び操作方向を判定し、調光制御データを調光制御信号出力手段１８へ送信し、明るさを徐々に下降するように動作する。  
【００２０】
調光制御信号出力手段１８は、調光制御データに基づいてＤＭＸ信号を出力する。この調光制御信号は、調光盤２０の調光器２０−１に伝送され、この調光器２０−１から調光電圧が照明負荷３０−１に供給され、照明負荷３０−１が調光制御される。  
【００２１】
次に、エンコーダ機能により入力手段１２−１を操作して調光を行う場合を仮定する。上述のフェーダ機能と同様な部分については、省略又は簡略化して説明する。まず、エンコーダ機能の調光操作モード選択手段１３−２を選択し、タッチ式スイッチを押圧する。すると、この選択状態を示す表示部１６−２が点灯するとともに、調光操作モード選択手段１３−２からモード選択信号が制御手段１７に送られ、制御手段１７は、エンコーダ機能のモードであることを認識し、入力手段１２−１〜１２−４からの操作情報の待機状態となる。  
【００２２】
エンコーダ機能は、既設定の調光レベルを操作の開始点として明るさをアップ／ダウンする機能であるため、オペレータは、例えば、指で入力手段１２−１のタッチ領域１４−１の中央部を上から下へ又は下から上へ所定回数なぞるように、既存のベルト式エンコーダの操作と同様な要領で操作する。この指の移動軌跡に応じて静電容量式のスイッチがオン／オフされ、このオン／オフ情報を検出回路１９が検出し、検出信号を制御手段１７へ送る。この場合、調光レベル表示部１５−１は、指の移動方向に応じて、ＬＥＤ等の表示要素が高速に点滅する。つまり、指を上から下へ操作させたときは、表示部１５−１のＬＥＤ等の表示要素は上端から下端へ点灯状態を変移する。一方、指を下から上へ操作させたときは、表示部１５−１のＬＥＤ等の表示要素は下端から上端へ点灯状態を変移する。  
【００２３】
制御手段１７は、スイッチのオン/オフ情報から操作移動量及び操作方向を判定演算し、つまり、既設定の調光レベルから明るさの度合いをどの程度変えるのかを判定演算し、その結果である調光制御データを調光制御信号出力手段１８へ送信する。調光制御信号出力手段１８からのＤＭＸ信号に基づいて、調光電圧が照明負荷３０−１に供給され、照明負荷３０−１が調光制御される。  
【００２４】
続いて、タッチスイッチ機能により入力手段１２−１を操作して調光を行う場合を仮定する。上述の各機能と同様な部分については、省略又は簡略化して説明する。まず、タッチスイッチ機能の調光操作モード選択手段１３−３を選択し、タッチ式スイッチを押圧する。表示部１６−３が点灯するとともに、調光操作モード選択手段１３−３からモード選択信号が制御手段１７に送られ、制御手段１７は、タッチスイッチ機能のモードであることを認識し、入力手段１２−１〜１２−４からの操作情報の待機状態となる。  
【００２５】
タッチスイッチ機能は、選択した明るさでオン／オフして調光する機能である。オペレータが指で入力手段１２−１のタッチ領域１４−１の特定の調光レベル位置に触れると、静電容量式のスイッチがオンされ、このオン情報を検出回路１９が検出し、制御手段１７へ送る。このとき、調光レベル表示部１５−１は、特定の調光レベル位置の表示要素が点滅する。  
【００２６】
制御手段１７は、スイッチのオン情報から操作位置を判定演算し、調光レベル位置に対応する調光制御データを調光制御信号出力手段１８へ送信し、結果的に所定調光レベルで照明負荷３０−１を点灯する。一方、指をタッチ領域１４−１から離すと、調光レベル表示部１５−１の表示要素が消灯し、操作情報が入力されていない状態になるので照明負荷３０−１は消灯する。したがって、このモードでは、選択した調光レベル（明るさ）で、照明負荷３０−１が点灯／消灯の調光制御がなされることとなる。  
【００２７】
なお、入力手段１２−２〜１２−４は、それぞれ１対１で調光器２０−２〜２０−ｎ及び照明負荷３０−２〜３０−ｎと対応しており、入力手段１２−２〜１２−４への操作情報の入力により上述と同様に照明負荷３０−２〜３０−ｎの調光制御が可能である。  
【００２８】
本実施形態の説明において、タッチ式スイッチの操作として押圧と記載しているが、タッチ領域に指が直接触れない状態である近接状態でもタッチ式スイッチは反応することができるので、タッチ領域を指で触れる場合や指を近接させるような場合でも、タッチ式スイッチの所望の操作が可能となっている。  
【００２９】
以上のように本実施形態によれば、入力手段１２−１〜１２−４を面操作式の入力センサから構成したので、機構部品がなく、従来に比し、可動部品の交換やメンテナンス作業が軽減できる。また、部品点数も減少することができ、部品管理の点においても有利となる。さらに、調光操作モード選択手段１３−１〜１３−３によって、モードを選択することができ、この場合、入力手段１２−１〜１２−４は、共用できるので構成の簡素化が可能となる。そのうえ、選択されたモードに応じて、調光レベル表示部１５−１〜１５−４の表示方法が変わるので、複数種のモードをひとつの入力手段１２−１〜１２−４で共用して使用してもモードの状態が認識し易く、モードを誤認することを防ぐことができ、操作性の向上を図ることができる。操作面１１には、突起物がないので操作がし易く、片手で複数のタッチ領域１４−１〜１４−４を同時的に操作することも可能である。さらにまた、入力手段１２−１〜１２−４のタッチ領域１４−１〜１４−４は、直線状に複数列設けられているので、操作がシンプルで、同時的な操作がし易い利点がある。  
【００３０】
なお、本実施形態で取り挙げた調光操作モードは、一例に過ぎない。他のモードを適用してもよい。また、例えば、フェーダ機能とエンコーダ機能においてのみ入力手段を共用し、タッチスイッチ機能は別個に入力手段を構成するような態様も許容する。さらに、調光レベル表示部は、各調光操作モードに応じて、色を変えて表示するようにしたり、液晶表示部で構成するようにしてもよい。色を変える場合は、例えば、フェーダ機能では、赤色の点灯表示、エンコーダ機能では、緑色の点灯表示、タッチスイッチ機能では、青色の点灯表示の如きである。この場合は、視覚的に各モードの状態が認識し易い効果が期待できる。液晶表示部で構成する場合は、各モードに応じて、文字で表示したり、識別マークで表示したりすることができる。  
【００３１】
次に、本発明の調光操作器の第２の実施形態について図４を参照して説明する。図４（ａ）は、調光操作器の操作面を示す正面図、図４（ｂ）は、図４（ａ）のＡ−Ａ線に沿う入力手段の一部断面図である。なお、第１の実施形態と同一又は相当部分には同一符号を付し、重複した説明は省略する。本実施形態では、入力手段１２−１〜１２−４のタッチ領域１４−１〜１４−４に操作パッド４０−１〜４０−４を設けたものである。  
【００３２】
操作パッド４０−１〜４０−４は、断面台形状であり、合成樹脂で形成されている。操作パッド４０−１〜４０−４は、柔軟性を有しており、折り曲げられて、タッチ領域１４−１〜１４−４の上面から底部に拡大する溝４１に嵌合されて、取り外し自在に取着されている。操作パッド４０−１〜４０−４は、この取着状態では、タッチ領域１４−１〜１４−４を円滑に摺動可能になっている。ここで、操作情報を入力するには、この操作パッド４０−１〜４０−４を指でタッチ領域１４−１〜１４−４上を滑らせて行う。これによって、静電容量式のスイッチがオン／オフされる。  
【００３３】
本実施形態によれば、第１の実施形態の効果に加え、操作パッド４０−１〜４０−４を指で操作するので、操作がし易く、操作性の向上が期待できる。また、表示部１５−１〜１５−４の表示と相俟って、操作パッド４０−１〜４０−４の位置により調光レベルを視覚的に確認し易く、特に、前回操作した位置の確認が容易で操作性の向上を期待できる。さらに、操作パッド４０−１〜４０−４は、取り外し可能であるため、操作性の自由度を高めることができる。  
【００３４】
次に、本発明の調光操作器の第３の実施形態について図５及び図６を参照して説明する。図５は、調光操作器の操作面の入力手段を模式的に示す正面図、図５は、動作を示すフローチャートである。なお、第１の実施形態と同一又は相当部分の重複した説明は省略する。図５において、面操作式の入力センサから構成された入力手段５２が示されている。この入力手段５２には、タッチ領域５４が形成されている。入力手段５２は、リング形のタッチセンサ型ロータリエンコーダ５２−１と、そのリング内に配設されたタッチセンサスイッチ５２−３を備えている。ロータリエンコーダ５２−１の外周には、調光レベルを示す目盛が表示されている。  
【００３５】
このような構成において、基本的な操作、動作態様を説明する。（１）ロータリエンコーダ５２−１の円周上を指でスライドする。この場合は、調光レベルを徐々に任意のレベルに設定することができる。（２）タッチセンサスイッチ５２−３を操作し、すなわち、タッチセンサスイッチ５２−３に触れ、その後、ロータリエンコーダ５２−１の円周上の任意の調光レベルの位置に触れる。この場合は、選択した任意の調光レベルで照明負荷を点灯できる。（３）タッチセンサスイッチ５２−３に触れ、その後、ロータリエンコーダ５２−１の円周上の任意の調光レベルの位置に触れ、任意の調光レベルで照明負荷を点灯した後、ロータリエンコーダ５２−１の円周上を指で時計方向又は反時計方向にスライドする。これは、（２）の操作の後、ロータリエンコーダ５２−１の円周上をスライドする操作を付加したものである。この場合は、既設定の任意の調光レベルを操作の開始点として調光レベルをアップ／ダウンできる。  
【００３６】
本実施形態では、上記３つの調光操作モードに設定可能であり、この場合、タッチセンサスイッチ５２−３が調光操作モード選択手段に該当している。  
【００３７】
次に、図６におけるフローチャートを参照して動作を説明する。ここで、リング内センサは、タッチセンサスイッチ５２-３を指称し、リング形センサは、ロータリエンコーダ５２−１を指称する。出力値は、照明負荷の明るさを決定する値、エンコーダ値は、ロータリエンコーダ５２−１から読込んだ値、エンコーダ前回値は、ロータリエンコーダ５２−１で値の差分を算出するための前回読込んだ値である。  
【００３８】
まず、リング内センサが操作されたか、すなわち、ＯＮされているか否かを判断する（Ｓ１）。ＯＮされていない場合は、リング形センサがＯＮされているか否かを判断する（Ｓ２）。ＯＮされている場合は、エンコーダ値を読込む（Ｓ３）。その後、読込んだエンコーダ値をエンコーダ前回値に設定する（Ｓ４）。そして、再度リング形センサがＯＮされているか否かを判断し（Ｓ５）、ＯＮされている場合は、エンコーダ値を読込み（Ｓ６）、エンコーダ値が変化
したか否かを判断する（Ｓ７）。変化した場合は、出力値を算出する（Ｓ８）（上記（１）の動作態様）。  
【００３９】
次に、エンコーダ値をエンコーダ前回値に設定し（Ｓ９）、Ｓ５に戻る。一方、リング内センサがＯＮされている場合（Ｓ１）は、一定時間内にリング形センサがＯＮされているか否かを判断し（Ｓ１０）、ＯＮされている場合には、エンコーダ値読み込み（Ｓ１１）、エンコーダ値を出力値として設定する（Ｓ１２）（上記（２）の動作態様）。続いて、Ｓ４に進み、前記と同様なルーチンでリング形センサの操作状態を判断して、出力値を設定する（Ｓ７、Ｓ８等）（上記（３）の動作態様）。  以上のように本実施形態によれば、第１の実施形態と同様な効果を奏することができる。
【００４０】
次に、本発明の調光操作器の第４の実施形態について図７乃至図９を参照して説明する。図７乃至図９は、調光操作器の操作面を示す斜視図である。なお、第１の実施形態と同一又は相当部分には同一符号を付し、重複した説明は省略する。
【００４１】
（実施例１）図７において、本実施例では、入力手段１２−１〜１２−４のタッチ領域１４−１〜１４−４を側面が弧状の凸部Ａとして構成したものである。したがって、例えば、フェーダ機能の場合に、指で下方から上方へなぞるように接触させてスライドさせると、一番高い位置が調光レベル５０％であることが指の感触で認識することができ、視覚によらずに調光レベルを認識でき、操作性を向上することが可能となる。
【００４２】
（実施例２）図８において、本実施例では、入力手段１２−１〜１２−４のタッチ領域１４−１〜１４−４を溝状に形成し、その溝内に、溝を横切る複数の突起Ｐを設けたものである。したがって、この場合も指で突起Ｐの感触を認識することができ、視覚によらず突起Ｐの位置を感覚でつかむことができ、調光レベルを認識でき、操作性を向上することが可能となる。
【００４３】
（実施例３）図９において、本実施例では、前記実施例２と同様に入力手段１２−１〜１２−４のタッチ領域１４−１〜１４−４を溝状に形成したものであるが、その溝内に、複数のドット状の突起Ｄを設けたものである。したがって、指で突起Ｄの感触を認識することができ、前記各実施例と同様な効果を得られる。
【図面の簡単な説明】
【００４４】
【図１】本発明の調光システムの第１の実施形態を示すブロック構成図である。
【図２】同調光操作器の操作面を示す正面図である。
【図３】同調光操作器を示すブロック構成図である。
【図４】同調光操作器の第２の実施形態の操作面を示す正面図である。
【図５】同調光操作器の第３の実施形態の入力手段を模式的に示す正面図である。
【図６】同動作を示すフローチャートである。
【図７】同調光操作器の第４の実施形態（実施例１）の操作面を示す斜視図である。
【図８】同調光操作器の第４の実施形態（実施例２）の操作面を示す斜視図である。
【図９】同調光操作器の第４の実施形態（実施例３）の操作面を示す斜視図である。
【符号の説明】
【００４５】
１０・・・調光操作器、  １２−１〜１２−４・・・入力手段、
１３−１〜１３−３・・・調光操作モード選択手段、
１５−１〜１５−４・・・調光レベル表示部、
１８・・・調光制御信号出力手段、  ２０−１〜２０−ｎ・・・調光器、
３０−１〜３０−ｎ・・・照明負荷
【図１】
2009110912.tif 000003
【図２】
2009110912.tif 000004
【図３】
2009110912.tif 000005
【図４】
2009110912.tif 000006
【図５】
2009110912.tif 000007
【図６】
2009110912.tif 000008
【図７】
2009110912.tif 000009
【図８】
2009110912.tif 000010
【図９】
2009110912.tif 000011